(57)【要約】【課題】  センサの数を減らし、且つ、読み取った画像の数を減らすことによる読取装置のコストをさげながら、モノクロ単色読み取りよりも好ましいモノクロ画像が得られる画像処理装置を提供する。【解決手段】  原稿読み取り時の読み取り色の指定を行う読み取り色選択手段（１０１）と、前記読み取り色選択手段（１０１）により指定された読み取り色により光源の色を選択し１つ或いは複数の画像信号の読み取りを行う画像読み取り手段（１０２）と、前記画像読み取り手段（１０２）により読み取られたデータを格納する画像格納手段（１０３）と、前記画像格納手段（１０３）に複数画像が格納されている場合は、前記読み取り色選択手段（１０２）により選択された色に対する合成方法を用いてモノクロ単色画像を生成するモノクロ画像生成手段（１０４）とを備える。【選択図】  図１
2012191460.tif 000002
【特許請求の範囲】
【請求項１】
原稿読み取り時の読み取り色の指定を行う読み取り色選択手段（１０１）と、前記読み取り色選択手段（１０１）により指定された読み取り色により光源の色を選択し１つ或いは複数の画像信号の読み取りを行う画像読み取り手段（１０２）と、前記画像読み取り手段（１０２）により読み取られたデータを格納する画像格納手段（１０３）と、前記画像格納手段（１０３）に複数画像が格納されている場合は、前記読み取り色選択手段（１０２）により選択された色に対する合成方法を用いてモノクロ単色画像を生成するモノクロ画像生成手段（１０４）とを備えることを特徴とする画像処理装置。
【請求項２】
前記読み取り色選択手段（１０１）は、選択された色に応じて、１つ乃至２つの光源の選択と、２光源の場合は２つの読み取り画像信号の混合率を決定することを特徴とする、請求項１に記載の画像処理装置。
【請求項３】
前記画像読み取り手段（１０２）は、色ごとに発光パターンを変えながら１つのセンサーで読み取ることを特徴とする、請求項１に記載の画像処理装置。
【請求項４】
前記モノクロ画像生成手段（１０４）において、モノクロ画像を生成する際に、読み取り画像の１つは調整せずそのまま用い、もう１つは前記読み取り色選択手段（１０１）によって指定された混合率を用いて調整することを特徴とする、請求項１又は請求項２に記載の画像処理装置。
【発明の詳細な説明】
【技術分野】
【０００１】
本発明は、画像処理装置、その制御方法及びプログラムに関するものである。
【背景技術】
【０００２】
従来のモノクロ画像出力コピーの高画質化技術においては、カラーセンサとモノクロセンサの両方を持つ読取装置においてカラー・モノクロ同時読み取りを行い、モノクロ画像信号に対してカラー画像信号の情報を適応的に用いることによってより好ましいモノクロ画像を得る方法を施したものがある。更にカラーセンサから読み取る画像を低解像度にすることによってカラー信号の圧縮コストを軽減している（例えば、特許文献１参照。）。
【先行技術文献】
【特許文献】
【０００３】
【特許文献１】特開２００３−２２４７３１号公報
【発明の概要】
【発明が解決しようとする課題】
【０００４】
しかしながら従来技術では、モノクロセンサに加えて、カラーセンサが必要となり、また、それらセンサから読み取った複数画像の処理を行うため読取装置のコストがあがる。
【０００５】
そこで本発明では、センサの数を減らし、且つ、読み取った画像の数を減らすことによる読取装置のコストをさげながら、モノクロ単色読み取りよりも好ましいモノクロ画像が得られる画像処理装置およびその制御方法を提供することが目的である。
【課題を解決するための手段】
【０００６】
本発明に係る画像処理装置は、原稿読み取り時の読み取り色の指定を行う読み取り色選択手段（１０１）と、前記読み取り色選択手段（１０１）により指定された読み取り色により光源の色を選択し１つ或いは複数の画像信号の読み取りを行う画像読み取り手段（１０２）と、前記画像読み取り手段（１０２）により読み取られたデータを格納する画像格納手段（１０３）と、前記画像格納手段（１０３）に複数画像が格納されている場合は、前記読み取り色選択手段（１０２）により選択された色に対する合成方法を用いてモノクロ単色画像を生成するモノクロ画像生成手段（１０４）とを備えることを特徴とする。
【発明の効果】
【０００７】
モノクロ出力時に強調したい色や除去したい色を指定する手段を設けることにより、ユーザに対してより好ましいモノクロコピー環境を提供可能である。また、この環境を低コスト・高速処理・高画質で実現可能。
【図面の簡単な説明】
【０００８】
【図１】本発明の一実施形態としてのシステム構成の説明。
【図２】本発明の一実施形態としてのデータを読み込んでから画像を生成、出力するまでのフローチャート。
【図３（Ａ）】本発明の一実施形態としての色選択ＵＩの一例。
【図３（Ｂ）】本発明の一実施形態としての色選択ＵＩの一例。
【図４】本発明の一実施形態としての点灯光源、光源の点灯順番、調整値、調整方法、合成方法の一例。
【図５（Ａ）】本発明の一実施形態としてのカラー読み取り時の発光パターン及びタイミングの一例。
【図５（Ｂ）】本発明の一実施形態としての２色切り替え発光パターン及びタイミングの一例。
【図５（Ｃ）】本発明の一実施形態としての単色発光パターン及びタイミングの一例。
【図６】本発明の一実施形態としての２色切り替え読み取り時の画像処理手順の一例。
【発明を実施するための形態】
【０００９】
以下、本発明を実施するための最良の形態について図面を用いて説明する。
【００１０】
［実施例１］
本発明に係る画像処理装置の一実施形態としての読取装置について説明する。
【００１１】
図１は、本実施形態１のシステム構成図である。原稿読み取り時の読み取り色の指定を行う読み取り色選択手段１０１と、前記読み取り色選択手段１０１により指定された読み取り色により光源の色を選択し１つ或いは複数の画像信号の読み取りを行う画像読み取り手段１０２と、前記画像読み取り手段１０２により読み取られたデータを格納する画像格納手段１０３と、前記画像格納手段１０３に複数画像が格納されている場合は、前記読み取り色選択手段１０２により選択された色に対する合成方法を用いてモノクロ単色画像を生成するモノクロ画像生成手段１０４とにより構成されている。
【００１２】
図２は、読み取り色選択手段１０１において読み取り色の選択が行われ、画像読み取り手段１０２が画像の読み取りを行い、モノクロ画像生成手段１０４においてモノクロ画像が生成されるまでの流れを示すフローチャートである。
【００１３】
ステップＳ２０１において、モノクロ出力が選択されているかを確認し、モノクロ出力が選択されている場合は、ステップＳ２０２へ進む。
【００１４】
ステップＳ２０２において、読み取り色選択手段１０１である読み取り色選択ＵＩ図３（Ａ）（Ｂ）において指定された色を獲得する。補正対象画像選択リスト３０２から補正対象画像の種別を選択することによって図３（Ａ）に示す通り、補正色が選択される。また、補正対象画像選択リスト３０２において「色選択」を選択することにより、図３（Ｂ）に示す通り、色選択カラーバー３０３が有効になりスライドバー３０４で色の選択を行うことにより、補正色が選択される。このカラーバー３０３による色の選択は、選択色そのものでもよいし、補色であってもよい。読み取り色選択ＵＩ図３より補正色を獲得し、ステップＳ２０３へ進む。
【００１５】
ステップＳ２０３において、補正色から図４テーブル４０１を用いて、使用する光源の色及び発光順を決定し、ステップＳ２０４へ進む。
【００１６】
ステップＳ２０４において、テーブル４０１を用いて光源の切り替え点灯が必要かを確認する。図４テーブル４０１において、光源に０が指定されている補正色が選択された場合は切り替え点灯が必要なく、１及び２が選択された場合は切り替え点灯が必要なことを示している。ここで切り替え点灯が必要な場合は、ステップＳ２０５へ進む。
【００１７】
ステップＳ２０５において、最終ラインまで読み取ったかを確認し、最終ラインまで読み取っていない場合は、ステップＳ２０６へ進む。
【００１８】
ステップＳ２０６において、テーブル４０１において１が指定されている光源を発光させて画像信号を読み取り、画像格納手段１０３のバッファ１に格納し、ステップＳ２０７へ進む。
【００１９】
ステップＳ２０７において、テーブル４０１において２が指定されている光源を発光させて画像信号を読み取り、画像格納手段１０３のバッファ２に格納し、ステップＳ２０５へ進みこれを繰り返す。
【００２０】
ステップＳ２０５からステップＳ２０７の繰り返しは図５（Ｂ）に示すようになる。ラインセンサー５０１が動きながら、テーブル４０１において１及び２で指定された光源が順に発光し繰り返しながら画像信号を読み取るため、発光パターン５０２のようなパターンになる。この時読み取り画像は図６のようになり、バッファ１には読み取り画像６０２が、バッファ２には読み取り画像６０３が格納されている。
【００２１】
一方、ステップＳ２０５において、最終ラインまで読み取った場合は、ステップＳ２０８へ進む。
【００２２】
ステップＳ２０８において、モノクロ画像生成手段１０４は、画像信号の調整値をテーブル４０１より獲得し、ステップＳ２０９へ進む。
【００２３】
ステップＳ２０９において、モノクロ画像生成手段１０４は、表４０２のステップＳ２０８で獲得した調整値に対応する演算式を用いて画像格納手段１０３のバッファ２に格納の画像信号を調整し、調整後画像６０４を得て、バッファ２に再格納し、ステップＳ２１０へ進む。
【００２４】
ステップＳ２１０において、モノクロ画像生成手段１０４は、画像格納手段１０３のバッファ１とバッファ２の画像を合成式４０３を用いて合成し、合成画像６０５を得て、画像格納手段１０３のバッファ０に格納し、ステップＳ２１７へ進む。
【００２５】
一方、ステップＳ２０４において、図４テーブル４０１で光源に０が指定されている補正色が選択された場合は切り替え点灯が必要ないと判断し、ステップＳ２１１へ進む。
【００２６】
ステップＳ２１１において、テーブル４０１において点灯対象となっている光源を点灯し、画像読み取り手段１０２によって読み取り、画像格納手段１０３のバッファ０に格納する。この時、光源の切り替えが必要なくなるため、図５（Ｃ）のように発光パターンは一定の色になる。画像の読み取りが終了したら、ステップＳ２１７へ進む。
【００２７】
一方、ステップＳ２０１において、モノクロ出力ではない場合、ステップＳ２１２へ進む。
【００２８】
ステップＳ２１２において、最終ラインまで読み取ったかを確認し読み取っていない場合は、ステップＳ２１３へ進む。
【００２９】
ステップＳ２１３において、１番目の光源の点灯を行い画像読み取り手段１０２で読み取った読み取り画像を画像格納手段１０３のバッファ１へ格納し、ステップＳ２１４へ進む。
【００３０】
ステップＳ２１４において、２番目の光源の点灯を行い画像読み取り手段１０２で読み取った読み取り画像を画像格納手段１０３のバッファ２へ格納し、ステップＳ２１５へ進む。
【００３１】
ステップＳ２１５において、３番目の光源の点灯を行い画像読み取り手段１０２で読み取った読み取り画像を画像格納手段１０３のバッファ３へ格納し、ステップＳ２１２へ進みこれを繰り返す。
【００３２】
ステップＳ２１２からステップＳ２１５までの繰り返しは図５（Ａ）のようになり発光パターン５０２のように３光源を切り替えながら点灯しラインセンサーを移動させながら画像５０３の読み取りを行う。
【００３３】
一方、ステップＳ２１２において最終ラインまで読み取った場合は、ステップＳ２１６へ進む。
【００３４】
ステップＳ２１６において、画像格納手段１０３のバッファ１、バッファ２、バッファ３の画像信号を合成し、バッファ０に格納して、ステップＳ２１７へ進む。
【００３５】
ステップＳ２１７において、バッファ０に格納の画像信号を出力し、終了する。
【符号の説明】
【００３６】
１０１  読み取り色選択手段
１０２  画像読み取り手段
１０３  画像格納手段
１０４  モノクロ画像生成手段
【図１】
2012191460.tif 000003
【図２】
2012191460.tif 000004
【図３（Ａ）】
2012191460.tif 000005
【図３（Ｂ）】
2012191460.tif 000006
【図４】
2012191460.tif 000007
【図５（Ａ）】
2012191460.tif 000008
【図５（Ｂ）】
2012191460.tif 000009
【図５（Ｃ）】
2012191460.tif 000010
【図６】
2012191460.tif 000011